(57)【特許請求の範囲】
【請求項１】
左右一対の欄干と、
前記欄干の下部に設けられたスカートガードと、
左右一対の前記スカートガードの間を移動する踏段と、
前記乗降口に配された乗降板と、
左右一対の前記スカートガードの間であって、かつ、前記乗降板の先端部に設けられたコムと、
前記スカートガートと前記コムの隙間、及び、前記スカートガートと前記踏段の隙間に設けられ、かつ、ブラシ台から上方にブラシ毛が設けられているブラシと、
を有する乗客コンベア。
【請求項２】
前記ブラシ台は、前記コムの下方に設けられ、前記ブラシ毛のみが前記スカートガートと前記コムの前記隙間と前記スカートガートと前記踏段の前記隙間にある、
請求項１に記載の乗客コンベア。
【請求項３】
前記ブラシ毛の上端は、前記コムより上方に位置する、
請求項２に記載の乗客コンベア。
【請求項４】
前記ブラシ台は、前記コムから遠いほど下方になるように傾斜して設けられている、
請求項３に記載の乗客コンベア。
【請求項５】
前記コムの位置に対応する前記ブラシ毛の上端は、前記乗降板と平行である、
請求項４に記載の乗客コンベア。
【請求項６】
前記踏段の位置に対応する前記ブラシ毛の上端は、傾斜した前記ブラシ台と平行に設けられている、
請求項５に記載の乗客コンベア。
【請求項７】
前記ブラシ毛が、前記コムと同じ色、又は、異なる色である、
請求項６に記載の乗客コンベア。
【請求項８】
前記ブラシ台は、直方体状である、
請求項７に記載の乗客コンベア。
【請求項９】
前記乗客コンベアが、エスカレータ、又は、動く歩道である、
請求項１に記載の乗客コンベア。
【発明の詳細な説明】
【技術分野】
【０００１】
本発明の実施形態は、乗客コンベアに関するものである。
【背景技術】
【０００２】
エスカレータや動く歩道などの乗客コンベアには、左右一対の欄干の下部にスカートガードが設けられ、乗降口付近の左右一対のスカートガードの間には乗降板が水平に配され、乗降板の先端部にはコムが設けられている。そして、踏段はこのコムから現れて乗客を搬送する。
【先行技術文献】
【特許文献】
【０００３】
【特許文献１】特開２００８−５６４９１号公報
【発明の概要】
【発明が解決しようとする課題】
【０００４】
上記乗客コンベアにおいて、スカートガードと踏段との隙間、又は、スカートガードとコムの隙間に乗客の衣類などの異物が挟まれるという問題点があった。
【０００５】
そこで、本発明の実施形態は、上記問題点に鑑み、スカートガードと踏段との隙間、又は、スカートガードとコムの間の隙間に異物が挟まれない乗客コンベアを提供することを目的とする。
【課題を解決するための手段】
【０００６】
本発明の実施形態は、左右一対の欄干と、前記欄干の下部に設けられたスカートガードと、左右一対の前記スカートガードの間を移動する踏段と、前記乗降口に配された乗降板と、左右一対の前記スカートガードの間であって、かつ、前記乗降板の先端部に設けられたコムと、前記スカートガートと前記コムの隙間、及び、前記スカートガートと前記踏段の隙間に設けられ、かつ、ブラシ台から上方にブラシ毛が設けられているブラシと、を有する乗客コンベアである。
【図面の簡単な説明】
【０００７】
【図１】本発明の一実施形態を示すエスカレータの側面図の説明図。
【図２】コムの部分の拡大縦断面。
【図３】コムの部分の拡大平面。
【発明を実施するための形態】
【０００８】
以下、本発明の一実施形態の乗客コンベアについて図面に基づいて説明する。本実施形態では、エスカレータ１０に関して図１〜図３に基づいて説明する。
【０００９】
（１）エスカレータ１０
エスカレータ１０の構造について、図１に基づいて説明する。図１はエスカレータ１０を側面から見た説明図である。
【００１０】
エスカレータ１０のトラス１２が、建屋１の上階と下階に跨がって支持アングル２，３を用いて支持されている。
【００１１】
トラス１２の上端部にある上階側の機械室１４内部には、駆動装置１８が設けられている。この駆動装置１８は、誘導電動機（インダクションモータ）よりなるモータ２０と、このモータ２０により動作する駆動チェーン２２を有し、この駆動チェーン２２により駆動スプロケット２４が回転する。上階側の機械室１４内部には、制御装置５０が設けられている。
【００１２】
トラス１２の下端部にある下階側の機械室１６内部には、従動スプロケット２６が設けられ、駆動スプロケット２４と従動スプロケット２６との間に左右一対の無端の踏段チェーン２８，２８が掛け渡され、左右一対の踏段チェーン２８，２８には複数の踏段３０が等間隔で取り付けられ、踏段３０の車輪３０ａが不図示の案内レールを走行し、後輪３０ｂが案内レール２５を走行する。
【００１３】
トラス１２の左右両側には、左右一対の欄干３６，３６が立設されている。この欄干３６の上部を手摺りベルト３８が踏段３０と同期して移動する。欄干３６の上階側の正面下部には上階側の正面スカートガード４０が設けられ、下階側の正面下部には下階側の正面スカートガード４２が設けられ、正面スカートガード４０，４２から、手摺りベルト３８の出入口であるインレット部４６，４８が突出している。欄干３６の側面下部には、スカートガード４４が設けられている。スカートガード４４の内側面には操作盤５２，５６、スピーカ５４，５８がそれぞれ上下階に設けられている。
【００１４】
上階側の機械室１４の天井面の乗降口には上階側の乗降板３２が設けられ、また、下階側の機械室１６の天井面の乗降口には下階側の乗降板３４が設けられている。
【００１５】
（２）乗降口付近の構造
次に、乗降口付近の構造について、図２と図３に基づいて説明する。
【００１６】
図３に示すように、左右一対のスカートガード４４，４４の間には乗降板３２が水平に配され、その先端部には合成樹脂よりなる櫛歯状のコム６０が設けられている。踏段３０の上面であるクリート面６４には走行方向に沿って凹凸部６４が形成され、この凹凸部６４にコム６０の櫛歯状の先端が通過する。
【００１７】
スカートガード４４とコム６０、及び、スカートガード４４と踏段３０との間には若干の隙間が生じているので、この隙間に沿ってブラシ６６，６６が左右一対設けられている。
【００１８】
各ブラシ６６は、直方体状のブラシ台６８の上面からブラシ毛７０が植毛されている。このブラシ台６８の幅は、スカートガード４４とコム６０との隙間、及び、スカートガード４４と踏段３０の隙間に合わせて形成され、スカートガード４４を構成するスカートガードパネルに固定されている。この固定の方向は、図２に示すように、コム６０から遠方に行くほどブラシ台６８が下方に傾斜するように固定されている。ブラシ台６８に植毛されているブラシ毛７０は、コム６０に対応する範囲では乗降板３２と平行に上端部が設けられ、踏段３０に対応する部分は、傾斜しているブラシ台６８と平行に設けられている。図２に示すように、ブラシ台６８は、コム６０と踏段３０のクリート面よりも下方に取り付けられ、スカートガード４４とコム６０の隙間、及び、スカートガード４４と踏段３０の隙間からブラシ毛７０が露出している。
【００１９】
また、このブラシ毛７０の色は、コム６０や踏段３０とほぼ同じ色にして、乗客には目立たないようにしてある。
【００２０】
下階側のコム６２の両端部にも同様に左右一対のブラシ６６，６６が設けられている。
【００２１】
（３）効果
本実施形態によれば、スカートガード４４とコム６０の隙間、及び、スカートガード４４と踏段３０の隙間からブラシ毛７０が出ているため、このブラシ毛７０によって衣服などの異物が隙間に侵入するのを防止できる。
【００２２】
また、隙間にはブラシ毛７０のみが存在するため、踏段側３０の走行に支障を来さない。
【００２３】
また、ブラシ毛７０のみが隙間から出ているため、意匠的にも目立たず乗客が気付き難い。
【００２４】
また、ブラシ６６の構造が簡単であるため、取り付けも容易で、またコストも上昇しない。
【００２５】
（４）変更例
上記実施形態では、ブラシ毛７０の色を踏段３０やコム６０と同じ色にしたが、ブラシ毛７０の色を異なる色にして乗客に判るようにし、隙間に異物が挟まるのを防止するようにしてもよい。
【００２６】
また、上記実施形態では、ブラシ６６を傾斜して設けたが、これに限らず水平方向に設けてもよい。この場合でも、ブラシ台６８は、コム６０と踏段３０の隙間よりも下方に設けておく。
【００２７】
上記実施形態では、エスカレータ１０で説明したが、これに代えて動く歩道で実施してもよい。
【００２８】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２９】
１０・・・エスカレータ、４４・・・スカートガード、６０・・・コム、６２・・・コム、６６・・・ブラシ、６８・・・ブラシ台、７０・・・ブラシ毛
【要約】      （修正有）【課題】スカートガードと踏段との隙間、又は、スカートガードとコムの間の隙間に異物が挟まれない乗客コンベアを提供する。【解決手段】左右一対の欄干と、欄干の下部に設けられたスカートガード４４と、左右一対のスカートガード４４の間を移動する踏段と、乗降口に配された乗降板３２と、左右一対の前記スカートガード４４の間であって、かつ、乗降板３２の先端部に設けられたコム６０とを有し、スカートガード４４とコム６０の隙間とスカートガード４４と踏段の隙間にブラシ６６を設けた。【選択図】図２【図１】
0005836443.tif 000002
【図２】
0005836443.tif 000003
【図３】
0005836443.tif 000004